(57)【特許請求の範囲】
【請求項１】
病室内の各病床に設けられ呼出を行なう呼出ボタン（１１ａ〜１１ｃ）と、前記呼出ボタンが制御機（３）を介して接続され前記呼出が通報されるナースコール親機（６）と、看護婦が持ち歩き前記呼出を受信できる携帯端末（５ａ〜５ｃ）と、前記制御機に接続され前記携帯端末を制御する交換機（４）とを備えたナースコール装置であって、
前記ナースコール親機は、前記呼出ボタンの呼出を前記携帯端末に呼出をかけるか否かをカラー液晶パネル（６４）上の設定キーに触れることにより呼出設定を行なうタッチパネル（６３）、前記カラー液晶パネルを制御するＬＣＤコントローラ（６６）、前記タッチパネルを制御するタッチパネルコントローラ（６７）、前記カラー液晶パネル上に表示される画像情報を記憶する画像用メモリ（６５）、前記カラー液晶パネル上の画面スイッチとして前記携帯端末への呼出設定、チームナーシングにおける呼出の担当チームを表示するチーム番号表示、夜、昼間に応じて呼出を集中、分散させる集中、分散の切替、呼出に応じて呼出病室の方向を表示する方向表示等の設定画面のバリエーションを変更できるように、ボード型、卓上型、デジタル型等の親機の機種選択スイッチ（７０ａ）、チームナーシングにおけるチーム毎に呼出を設定するチーム呼出設定機能の選択スイッチ（７０ｂ）、前記集中、分散の選択スイッチ（７０ｃ）、呼出に応じて呼出病室の方向を表示／非表示する方向表示灯の選択スイッチ（７０ｄ）、呼出に応じて呼出病室の方向を表示する方向数の設定スイッチ（７０ｅ）等の設定スイッチ群（７０）を備えたことを特徴とするナースコール装置。
【発明の詳細な説明】
【０００１】
【発明の属する技術分野】
本発明は、ナースコール装置に係わり、特に、各種スイッチ等の部品削減を図り、機種バリエーションの統一化を図り得るナースコール装置に関する。
【０００２】
【従来の技術】
従来、この種のナースコール装置としては、図２に示すようなものが知られている。
【０００３】
同図において、従来のナースコール装置は、各病室８ａ、８ｂ、・・・内の各病床にそれぞれ設けられた第１〜第３の呼出ボタン８１ａ〜８１ｃと、各病室８ａ、８ｂ、・・・の入口付近にそれぞれ設置され、第１〜第３の呼出ボタン８１ａ〜８１ｃからの呼出を検出する複数の廊下灯９ａ、９ｂ、・・・と、各廊下灯９ａ、９ｂ、・・・からの呼出を受信する制御機１０と、ナースステーションに設置され、制御機３の制御により呼出報知されるナースコール親機１３と、看護婦により携帯される第１〜第３の携帯端末１２ａ〜１２ｃと、第１〜第３の携帯端末１２ａ〜１２ｃを無線で制御する交換機１１とを備えている。ここで、各病室８ａ、８ｂ、・・・内の第１〜第３の呼出ボタン８１ａ〜８１ｃは、それぞれ、子機幹線Ｌ１０ａ、Ｌ１０ｂ、・・・を介して対応する廊下灯９ａ、９ｂ、・・・に接続され、各廊下灯９ａ、９ｂ、・・・は、それぞれ、廊下灯幹線Ｌ２０を介して制御機１０に接続されている。また、制御機１０は、交換機幹線Ｌ３０を介して交換機１１に、親機幹線Ｌ４０を介してナースコール親機１３にそれぞれ接続されている。
【０００４】
各廊下灯９ａ、９ｂ、・・・は、それぞれ、第１〜第３の呼出検出回路９１ａ〜９１ｃおよび廊下灯ＣＰＵ９２を備えており、各廊下灯ＣＰＵ９２は、それぞれ、第１〜第３の呼出検出回路９１ａ〜９１ｃに接続され、第１の呼出検出回路９１ａには、第１の呼出ボタン８１ａが、第２の呼出検出回路９１ｂには、第２の呼出ボタン８１ｂが、第３の呼出検出回路９１ｃには、第３の呼出ボタン８１ｃがそれぞれ接続されている。
【０００５】
制御機１０は、制御機ＣＰＵ１０１およびメモリ１０２を備えており、メモリ１０２は、制御機ＣＰＵ１０１に接続され、この制御機ＣＰＵ１０１には、廊下灯幹線Ｌ２０を介して廊下灯ＣＰＵ９２が接続されている。
【０００６】
交換機１１は、交換機ＣＰＵ１１１を備えており、この交換機ＣＰＵ１１１は、交換機幹線Ｌ３０を介して制御機ＣＰＵ１０１に接続されている。
【０００７】
親機１３は、第１〜第３の呼出表示灯１３１ａ〜１３１ｃと、第１〜第３の選局スイッチ１３２ａ〜１３２ｃと、チーム設定スイッチ１３３と、チーム表示スイッチ１３４と、親機ＣＰＵ１３５と、切替スイッチ１３６と、設定用ＣＰＵ１３７と、方向表示選択スイッチ１３８と、親機番号スイッチ１３９とを備えている。ここで、設定用ＣＰＵ１３７は、チーム設定スイッチ１３３を構成する設定スイッチ１３３ａ、登録スイッチ１３３ｂ、確認スイッチ１３３ｃ、取消スイッチ１３３ｄ、日勤切替スイッチ１３３ｅ、夜勤切替スイッチ１３３ｆおよび準夜勤切替スイッチ１３３ｇ、チーム表示スイッチ１３４を構成する第１〜第８のチーム選択スイッチ１３４ａ〜１３４ｈ、方向表示選択スイッチ１３８を構成する左方向表示選択スイッチ１３８ａ、中方向表示選択スイッチ１３８ｂおよび右方向表示選択スイッチ１３８ｃ、親機番号スイッチ１３９を構成する第１、第２、第４の端子１、２、４並びに親機ＣＰＵ１３５に接続され、この親機ＣＰＵ１３５には、第１〜第３の呼出表示灯１３１ａ〜１３１ｃ、第１〜第３の選局スイッチ１３２ａ〜１３２ｃ、切替スイッチ１３６および親機幹線Ｌ４０を介して制御機ＣＰＵ１０１がそれぞれ接続されている。
【０００８】
このような構成のナースコール装置においては、ナースコール親機１３において、第１〜第３の携帯端末１２ａ〜１２ｃが受ける呼出を患者ごとに設定でき、また、看護婦の勤務帯に応じて日勤、準夜勤等に設定でき、さらに、夜、昼間に応じて呼出を集中、分散させる集中、分散の切替設定等もできるように構成されている。例えば、病室ａ内のある患者（以下、「第1の患者ｐ１」という。）からの呼出を、日勤の時間帯において、第１の携帯端末１２ａ（ここでは、第1の患者ｐ１を受持つ第１の看護チームが携帯するものとする）に呼出をかけるように設定するためには、先ず、ナースコール親機１３の設定スイッチ１３３ａ、日勤切替スイッチ１３３ｅ、第１のチーム選択スイッチ１３４ａ、第１の選局スイッチ１３２ａおよび登録スイッチ１３３ｂ等の各種スイッチを適宜操作（以下「設定操作」という。）する。そうすると、この設定操作が設定用ＣＰＵ１３７で検出され、設定用ＣＰＵ１３７および親機ＣＰＵ１３５の制御により、親機ＣＰＵ１３５から設定内容のデータが出力され、親機幹線Ｌ４０および制御機ＣＰＵ１０１を介してメモリ１０２に格納される。
【０００９】
このように設定されたナースコール装置において、第1の患者ｐ１がナースステーション内の看護婦を呼出すために、第1の患者ｐ１の患者用ベッド付近に設置された第１の呼出ボタン８１ａを押すと、呼出信号が子機幹線Ｌ１０ａを介して廊下灯９ａの第１の呼出検出回路９１ａへ送出される。そして、この呼出信号が廊下灯ＣＰＵ９２で検出されると、廊下灯ＣＰＵ９２から、第1の患者ｐ１に係る第１の呼出ボタン８１ａのアドレス情報等を含有する呼出信号が出力され、このアドレス情報等を含有する呼出信号が廊下灯幹線Ｌ２０を介して制御機ＣＰＵ１０１へ送出される。
【００１０】
そうすると、この制御機ＣＰＵ１０１において、メモリ１０２が参照され、予め格納されている設定内容のデータより、第1の患者ｐ１に係るデータが読み出され、この第1の患者ｐ１に係るデータが、交換機線Ｌ３０および親幹線Ｌ４０を介して交換機ＣＰＵ１１１および親機ＣＰＵ１３５へそれぞれ送出される。
【００１１】
しかして、第1の患者ｐ１に係るデータが親機ＣＰＵ１３５で検出されると、親機ＣＰＵ１３５および設定用ＣＰＵ１３７の制御により、第１のチーム選択スイッチ１３４ａおよび第１の呼出表示灯１３１ａが点滅すると共に図示しない親機スピーカから呼出音が鳴動する。また、第1の患者ｐ１に係るデータが交換機ＣＰＵ１１１で検出されると、交換機ＣＰＵ１１１の制御により、第１の携帯端末１２ａに呼出がかけられる。
【００１２】
ここで、ナースステーション内の看護婦が、第１のチーム選択スイッチ１３４ａの点滅で自分が受持つ患者かどうかを確認し、図示しない通話ボタンを押下するか図示しないハンドセットを取り上げて、若しくは第１の携帯端末１２ａで第1の患者ｐ１からの呼出に応対する。
【００１３】
なお、第２、第３の呼出ボタン８１ｂ、８１ｃを押した場合も、前述と同様に、第２、第３のチーム選択スイッチ１３４ｂ、１３４ｃの点滅で自分が受持つ患者かどうかが確認され、通話ボタンを押下するかハンドセットを取り上げて、若しくは第２、第３の携帯端末１２ｂ、１２ｃで病室８ａ内の第２、第３の患者からの呼出にそれぞれ応対する。また、前述と同様の方法により、夜勤切替設定スイチ１３３ｆ若しくは準夜勤切替設定スイチ１３３ｇを押下すると、それぞれ、夜勤若しくは準夜勤に設定され、同様に、第４〜第８のチーム選択スイッチ１３４ｄ〜１３４ｈ、各方向表示選択スイッチ１３８ａ〜１３８ｃも、それぞれ、当該スイッチの押下操作によって設定される。
【００１４】
次に、ナースコール親機１３に対する第1の患者ｐ１からの呼出しを他のナースコール親機（不図示）に転送する場合は、切替スイッチ１３６を押下する。そうすると、親機ＣＰＵ１３５から転送切替信号が出力され、この転送切替信号が親機幹線Ｌ４０を介して制御機ＣＰＵ１０１へ送出され、この制御機ＣＰＵ１０１の制御により転送切替の設定がなされる。
【００１５】
【発明が解決しようとする課題】
しかしながら、このような構成のナースコール装置においては、ナースコール親機に、チーム設定スイッチ１３３、チーム表示スイッチ１３４、方向表示選択スイッチ１３８および親機番号スイッチ１３９等の多数のスイッチを設ける必要があることから、部品点数が多くなると共にこれらの各スイッチに接続される配線が複雑になり、また、一旦、これらのスイッチのレイアウトを設定すると、その変更を容易に行なうことができず、ひいては、機種バリエーションが増加するという難点があった。
【００１６】
本発明は、このような難点を解決するためになされたもので、各種スイッチ等の部品削減を図り、機種バリエーションの統一化を図り得るナースコール装置を提供することを目的とする。
【００１７】
【課題を解決するための手段】
上記の目的を達成するため、本発明のナースコール装置は、病室内の各病床に設けられ呼出を行なう呼出ボタンと、呼出ボタンが制御機を介して接続され呼出が通報されるナースコール親機と、看護婦が持ち歩き呼出を受信できる携帯端末と、制御機に接続され携帯端末を制御する交換機とを備えたナースコール装置であって、ナースコール親機は、呼出ボタンの呼出を携帯端末に呼出をかけるか否かをカラー液晶パネル上の設定キーに触れることにより呼出設定を行なうタッチパネル、カラー液晶パネルを制御するＬＣＤコントローラ、タッチパネルを制御するタッチパネルコントローラ、カラー液晶パネル上に表示される画像情報を記憶する画像用メモリ、カラー液晶パネル上の画面スイッチとして携帯端末への呼出設定、チームナーシングにおける呼出の担当チームを表示するチーム番号表示、夜、昼間に応じて呼出を集中、分散させる集中、分散の切替、呼出に応じて呼出病室の方向を表示する方向表示等の設定画面のバリエーションを変更できるように、ボード型、卓上型、デジタル型等の親機の機種選択スイッチ、チームナーシングにおけるチーム毎に呼出を設定するチーム呼出設定機能の選択スイッチ、集中、分散の選択スイッチ、呼出に応じて呼出病室の方向を表示／非表示する方向表示灯の選択スイッチ、呼出に応じて呼出病室の方向を表示する方向数の設定スイッチ等の設定スイッチ群を備えたことを特徴としている。
【００１８】
本発明のナースコール装置よれば、親機番号設定、チーム呼出設定、チーム番号表示、集中、分散の切替、方向表示等の設定をディップスイッチ等で自由に組み合わせることができることから、画面バリエーションを容易に変更することができ、また、画像用メモリを備えていることから、タッチパネルにテンキー表示部やファンクションキー表示部等のスイッチ類を集約化でき、ひいては、部品削減と共にナースコール装置の機種バリエーションの統一化を図ることができる。
【００１９】
【発明の実施の形態】
以下、本発明のナースコール装置を適用した好ましい実施の形態例を、図面を参照して説明する。
【００２０】
図１は、本発明のナースコール装置のブロック図を示している。同図において、本発明のナースコール装置は、各病室１ａ、１ｂ、・・・内の各病床にそれぞれ設けられた第１〜第３の呼出ボタン１１ａ〜１１ｃと、各病室１ａ、１ｂ、・・・の入口付近にそれぞれ設置され、第１〜第３の呼出ボタン１１ａ〜１１ｃからの呼出を検出する複数の廊下灯２ａ、２ｂ、・・・と、各廊下灯２ａ、２ｂ、・・・からの呼出を受信する制御機３と、ナースステーションに設置され、制御機３の制御により呼出報知されるナースコール親機６と、看護婦により携帯される第１〜第３の携帯端末５ａ〜５ｃと、第１〜第３の携帯端末５ａ〜５ｃを無線で制御する交換機４とを備えている。ここで、各病室１ａ、１ｂ、・・・内の第１〜第３の呼出ボタン１１ａ〜１１ｃは、それぞれ、子機幹線Ｌ１ａ、Ｌ１ｂ、・・・を介して対応する廊下灯２ａ、２ｂ、・・・に接続され、各廊下灯２ａ、２ｂ、・・・は、それぞれ、廊下灯幹線Ｌ２を介して制御機３に接続されている。また、制御機３は、交換機幹線Ｌ３を介して交換機４に、親機幹線Ｌ４を介してナースコール親機６にそれぞれ接続されている。
【００２１】
各廊下灯２ａ、２ｂ、・・・は、それぞれ、第１〜第３の呼出検出回路２１ａ〜２１ｃおよび廊下灯ＣＰＵ２２を備えており、各廊下灯ＣＰＵ２２は、それぞれ、第１〜第３の呼出検出回路２１ａ〜２１ｃに接続され、第１の呼出検出回路２１ａには、第１の呼出ボタン１１ａが、第２の呼出検出回路２１ｂには、第２の呼出ボタン１１ｂが、第３の呼出検出回路２１ｃには、第３の呼出ボタン１１ｃがそれぞれ接続されている。
【００２２】
制御機３は、制御機ＣＰＵ３１およびメモリ３２を備えており、メモリ３２は、制御機ＣＰＵ３１に接続され、この制御機ＣＰＵ３１には、廊下灯幹線Ｌ２を介して廊下灯ＣＰＵ２２が接続されている。
【００２３】
交換機４は、交換機ＣＰＵ４１を備えており、この交換機ＣＰＵ４１は、交換機幹線Ｌ３を介して制御機ＣＰＵ３１に接続されている。
【００２４】
親機６は、第１〜第３の呼出表示灯６１ａ〜６１ｃと、第１〜第３の選局スイッチ６２ａ〜６２ｃと、タッチパネル６３と、カラー液晶パネル６４と、画像用メモリ６５と、ＬＣＤコントローラ６６と、タッチパネルコントローラ６７と、親機ＣＰＵ６８と、親機番号スイッチ６９と、設定スイッチ群７０とを備えている。ここで、親機ＣＰＵ６８は、第１〜第３の呼出表示灯６１ａ〜６１ｃ、第１〜第３の選局スイッチ６２ａ〜６２ｃ、画像用メモリ６５、ＬＣＤコントローラ６６、タッチパネルコントローラ６７、親機番号スイッチ６９を構成する第１、第２、第４の端子１、２、４並びに設定スイッチ群７０を構成するボード型、卓上型、デジタル型等の親機の機種選択スイッチ７０ａ、チームナーシングにおけるチーム毎に呼出を設定するチーム呼出設定機能の選択スイッチ７０ｂ、夜、昼間に応じて呼出を集中、分散させる集中、分散の選択スイッチ７０ｃ、呼出に応じて呼出病室の方向を表示／非表示する呼出方向表示灯の選択スイッチ７０ｄ、呼出に応じて呼出病室の方向を表示する方向数の設定スイッチ７０ｅに接続され、ＬＣＤコントローラ６６にはカラー液晶パネル６４が、タッチパネルコントローラ６７にはタッチパネル６３がそれぞれ接続されている。また、親機ＣＰＵ６８は、親機幹線Ｌ４を介して制御機ＣＰＵ３１に接続されている。
【００２５】
なお、カラー液晶パネル６４の画面上には、呼出・番号・方向表示部６４ａ、病室番号表示部６４ｂ、テンキー表示部６４ｃ、日勤表示部６４ｄ、勤務帯切替表示部６４ｅ、チーム設定表示部６４ｆ、切替表示部６４ｇ、聴取表示部６４ｈ、チーム表示部６４ｉ、遅延表示部６４ｊ、ルーム表示部６４ｋおよび一斉表示部６４ｌを表示することができる。
【００２６】
このようなナースコール装置において、親機番号スイッチ６９の第１の端子１を閉成し、かつ、機種選択スイッチ７０ａとチーム呼出設定機能の選択スイッチ７０ｂをＯＮにすると、親機ＣＰＵ６８によってチーム設定機能付きのボード親機または卓上親機の設定と認識される。そして、この親機ＣＰＵ６８の制御により、画像用メモリ６５が参照され、予め格納されているチーム設定、チーム放送およびチーム番号に関する画像情報が読み出され、さらに、ＬＣＤコントローラ６６の制御により、カラー液晶パネル６４上に、勤務帯表示部（ここでは、日勤表示部６４ｄ）、勤務帯切替表示部６４ｅ、ベッドからの呼出をどの携帯端末に呼出をかけるかを設定するためのチーム設定表示部６４ｆ、チーム放送するためのチーム表示部６４ｉおよび呼出・番号・方向表示部６４ａが現れる。なお、病室から呼出があると、呼出・番号・方向表示部６４ａに、チームナーシングにおける呼出の担当チームのチーム番号が表示される。
【００２７】
ここで、チーム設定表示部６４ｆをタッチ操作すると、チーム設定信号が、タッチパネルコントローラ６７へ送出される。そして、このチーム設定信号が親機ＣＰＵ６８で検出されると、画像用メモリ６５から担当チームに関する画像情報が読み出される。さらに、ＬＣＤコントローラ６６が制御されて、カラー液晶パネル６４の画面がチーム設定モードに切り替えられ、これにより、カラー液晶パネル６４上に、「設定」、「確認」、「取消」等の各表示部が現れることになる。
そして、カラー液晶パネル６４の画面上に現れた「設定」の表示部をタッチ操作すると、最初に、日勤表示部６４ｄに「日勤」の表示部が現れ、この日勤表示部６４ｄをタッチ操作すると、「準夜勤」の表示部が現れ、さらに、この準夜勤の表示部をタッチ操作すると「夜勤」の表示部が現れる。ここで、勤務帯として、「日勤」を選択すると、呼出・番号・方向表示部６４ａにチーム設定のためのチーム番号が表示される。そこで、当該するチーム番号、例えば「１」を選択すると共に第１の選局スイッチ６２ａを押下操作すると、かかる設定内容が親機ＣＰＵ６８で認識される。そして、親機ＣＰＵ６８から、かかる設定内容のデータが制御機ＣＰＵ３１へ送出され、当該設定内容のデータがメモリ３２に格納される。これにより、病室１ａ、１ｂ、・・・内の患者からの呼出、すなわち呼出ボタン１１ａ〜１１ｃからの呼出が特定の携帯端末５ａ〜５ｃに呼出がかけられることになる。
【００２８】
以下においては、第1の呼出ボタン１１ａは第１の携帯端末５ａに、第２の呼出ボタン１１ｂは第２の携帯端末５ｂに、第３の呼出ボタン１１ｃは第３の携帯端末５ｃに呼出をかけるように設定されているものとして説明する。
【００２９】
このように設定されたナースコール装置において、病室１ａ内のある患者（以下、「第1の患者Ｐ」という。）がナースステーション内の看護婦を呼出すために、第1の患者Ｐの患者用ベッド付近に設置された第１の呼出ボタン１１ａを押すと、呼出信号が子機幹線Ｌ１ａを介して廊下灯２ａの第１の呼出検出回路２１ａへ送出される。そして、この呼出信号が廊下灯ＣＰＵ２２で検出されると、廊下灯ＣＰＵ２２から、第1の患者Ｐに係る第１の呼出ボタン２１ａのアドレス情報等を含有する呼出信号が出力され、このアドレス情報等を含有する呼出信号が廊下灯幹線Ｌ２を介して制御機ＣＰＵ３１へ送出される。
【００３０】
そうすると、この制御機ＣＰＵ３１において、メモリ３２が参照され、予め格納されている設定内容のデータより、第1の患者Ｐに係るデータが読み出され、この第1の患者Ｐに係るデータが、交換機線Ｌ３および親幹線Ｌ４を介して交換機ＣＰＵ４１および親機ＣＰＵ６８へそれぞれ送出される。
【００３１】
しかして、第1の患者Ｐに係るデータが親機ＣＰＵ６８で検出されると、親機ＣＰＵ６８の制御により、画像用メモリ６５から第1の患者Ｐ１に係る情報が読み出され、この第1の患者Ｐ１に係る情報がＬＣＤコントローラ６６に送出される。これにより、カラー液晶パネル６４の呼出・番号・方向表示部６４ａに第1の患者Ｐ１に係る情報および第1の患者Ｐを受持つ担当チームを表示する番号（ここでは、「１」）が、病室番号表示部６４ｂに第1の患者Ｐ１に係る病床番号がそれぞれカラー表示され、また、これと共に第１の呼出表示灯６１ａが点滅し、図示しない親機スピーカから呼出音が鳴動する。
【００３２】
ここで、ナースステーション内または巡回中の看護人が、カラー液晶パネル６４の呼出・番号・方向表示部６４ａおよび病室番号表示部６４ｂで第1の患者Ｐ１に係る情報、担当チーム番号および病床番号で自分が受持つ患者かどうかを確認し、図示しない通話ボタンを押下するか図示しないハンドセットを取り上げて、若しくは第１の携帯端末５ａで第1の患者Ｐの呼出に応対する。
【００３３】
なお、第２、第３の呼出ボタン１１ｂ、１１ｃを押した場合も、前述と同様に、カラー液晶パネル６４の呼出・番号・方向表示部６４ａおよび病室番号表示部６４ｂで病室１ａ内の第２、第３の患者に係る情報、第２、第３の担当チーム番号（「２」、「３」）および病床番号で自分が受持つ患者かどうかが確認され、通話ボタンを押下するかハンドセットを取り上げてして、若しくは第２、第３の携帯端末５ｂ、５ｃで病室１ａ内の第２、第３の患者の呼出にそれぞれ応対する。
【００３４】
一方、ナースステーション内の看護人が、第1の患者Ｐ１を呼出し、通話する場合は、先ず、第1の患者Ｐ１に係る第１の選局スイッチ６２ａを押下するか、若しくはカラー液晶パネル６４のテンキー表示部６４ｃをタッチ操作することによって、第1の患者Ｐ１に係る病床番号を入力する。そうすると、第１の選局スイッチ６２ａ若しくはタッチパネルコントローラ６７から第1の患者Ｐ１に係る呼出信号が親機ＣＰＵ６８へ送出される。そして、この第1の患者Ｐ１に係る呼出信号が親機ＣＰＵ６８で検出されると、ＬＣＤコントローラ６６により、病室番号表示部６４ｂに第1の患者Ｐ１に係る病床番号がカラー表示される。また、これと共に、親機ＣＰＵ６８から第1の患者Ｐ１に係る呼出信号が親機幹線Ｌ４を介して制御機３へ送出され、メモリ３２が参照されて、かかる呼出信号が第1の患者Ｐ１への呼出信号であると判断される。そして、この制御機３から、第1の患者Ｐ１に係るアドレス情報等を含有する呼出信号が出力され、このアドレス情報等を含有する呼出信号が、廊下灯幹線Ｌ２を介して廊下灯ＣＰＵ２２へ送出される。
【００３５】
そうすると、この廊下灯ＣＰＵ２２において、アドレス情報等を含有する呼出信号が第1の患者Ｐ１への呼出信号と判断され、この廊下灯ＣＰＵ２２から、第1の患者Ｐ１への呼出信号が子機幹線Ｌ１ａを介して病室１ａ内に送出され、図示しない子機スピーカから第1の患者Ｐ１に報知される。
【００３６】
以上の実施例においては、カラー液晶パネル６４上の勤務帯表示部（日勤表示部６４ｄ）を「日勤」に設定した場合について述べているが、これを、「準夜勤」若しくは「夜勤」に設定する場合は、カラー液晶パネル６４上の勤務帯切替表示部６４ｅをタッチ操作して、勤務帯切替信号をタッチパネルコントローラ６７へ送出する。そして、この勤務帯切替信号が親機ＣＰＵ６８で検出されると、画像用メモリ６５から準夜勤若しくは夜勤に関する画像情報が読み出され、ＬＣＤコントローラ６６が制御されて、カラー液晶パネル６４上の「日勤表示部６４ｄ」の位置に「準夜勤」若しくは「夜勤」の各表示部が現れることになる。
【００３７】
次に、第１〜第３の携帯端末５ａ〜５ｃが、どの担当チームに設定されているかを確認するには、カラー液晶パネル６４上のチーム設定表示部６４ｆをタッチ操作して、チーム設定信号をタッチパネルコントローラ６７へ送出する。さらに、ＬＣＤコントローラ６６が制御されて、カラー液晶パネル６４の画面がチーム設定モードに切り替えられ、これにより、カラー液晶パネル６４上に、「設定」、「確認」、「取消」等の各表示部が現れることになる。
そして、カラー液晶パネル６４の画面上に現れた「確認」の表示部をタッチ操作すると、カラー液晶パネル６４上の画面が変わり、当該画面にチーム番号が表示される。ここで、確認したいチーム番号の表示部をタッチ操作すると、チーム番号信号がタッチパネルコントローラ６７で検出され、当該チーム番号信号が親機ＣＰＵ６８へ送出される。そうすると、親機ＣＰＵ６８からチーム番号信号が親機幹線Ｌ４を介して制御機ＣＰＵ３１へ送出され、この制御機ＣＰＵ３１において、メモリ３２の設定内容が参照され、交換機線Ｌ３を介して交換機ＣＰＵ４１へ送出され、該当する携帯端末５ａ〜５ｃに呼出が通報される。
【００３８】
一方、親機番号スイッチ６９の第１の端子１以外の端子を閉成し、かつ、機種選択スイッチ７０ａとチーム呼出設定機能の選択スイッチ７０ｂをＯＮにすると、親機ＣＰＵ６８によってチーム設定機能付きボード親機または卓上親機と認識される。そして、この親機ＣＰＵ６８の制御により、画像用メモリ６５が参照され、予め格納されているチーム放送およびチーム番号に関する画像情報が読み出され、さらに、ＬＣＤコントローラ６６の制御により、カラー液晶パネル６４上に、チーム表示部６４ｉが現れる。これにより、チーム表示部６４ｉのタッチ操作により、チーム放送が可能になる。なお、病室１ａ、１ｂ、・・・から呼出があると、カラー液晶パネル６４上の呼出・番号・方向表示部６４ａに、設定されたチーム番号が表示される。
【００３９】
また、機種選択スイッチ７０ａをＯＦＦ、チーム呼出設定機能の選択スイッチ７０ｂをＯＮにすると、親機ＣＰＵ６８によってチーム表示機能付きデジタル表示親機と認識される。そして、前述と同様にして、カラー液晶パネル６４上に、チーム表示部６４ｉが現れ、また、呼出・番号・方向表示部６４ａに、設定されたチーム番号が表示される。なお、チーム呼出設定機能の選択スイッチ７０ｂをＯＦＦにすると、カラー液晶パネル６４上には、上記のチーム表示部６４ｉおよびチーム番号は表示されない。
【００４０】
次に、集中、分散の選択スイッチ７０ｃをＯＮにすると、親機ＣＰＵ６８によって分散親機と認識される。そして、この親機ＣＰＵ６８の制御により、病室からの呼出状況に応じて切替えができるように、画像用メモリ６５から画像情報が読み出され、さらに、ＬＣＤコントローラ６６の制御により、カラー液晶パネル６４上に、切替表示部６４ｇが表示される。これにより、カラー液晶パネル６４上の切替表示部６４ｇをタッチ操作することにより、病室からの呼出の転送が可能になる。
【００４１】
また、親機番号スイッチ６９の第１の端子１を閉成し、機種選択スイッチ７０ａと方向表示灯の選択スイッチ７０ｄをＯＮにし、さらに、方向数の設定スイッチ７０ｅを設定方向数２から４内で設定すると、親機ＣＰＵ６８によって方向表示灯設定機能付きのボード親機または卓上親機と認識される。そして、電源投入直後において、この親機ＣＰＵ６８の制御により、画像用メモリ６５が参照され、予め格納されている病室からの呼出方向の表示に関する画像情報が読み出される。さらに、ＬＣＤコントローラ６６が制御されて、カラー液晶パネル６４の画面が方向設定モードに切り替えられる。なお、方向表示の設定は、前述のチーム設定と同様にして行うことができる。ただし、勤務帯の設定は、方向設定モードの画面で行なうことはできない。
【００４２】
しかして、方向表示灯の選択スイッチ７０ｄをＯＦＦにし、電源を切り、再度電源を投入すると、方向表示が可能になる。ここで、病室１ａ、１ｂ、・・・から呼出があると、カラー液晶パネル６４上の呼出・番号・方向表示部６４ａに、呼出種別、病室番号、病室からの呼出方向を示す矢印が表示される。
【００４３】
さらに、チーム呼出設定機能の選択スイッチ７０ｂもＯＮにすると、チーム設定機能と方向表示灯設定機能付きのボード親機または卓上親機となり、チーム設定、チーム放送、チーム番号表示、方向設定および方向表示が可能になる。
【００４４】
次に、親機番号スイッチ６９の第１の端子１以外の端子を閉成し、かつ、機種選択スイッチ７０ａと方向表示灯の選択スイッチ７０ｄをＯＮにし、さらに、方向数の設定スイッチ７０ｅを設定方向数２から４内で設定すると、親機ＣＰＵ６８によって方向表示灯機能付きのボード親機または卓上親機と認識される。そして、電源投入直後に、親機ＣＰＵ６８の制御により、画像用メモリ６５から方向表示に関する画像情報が読み出され、さらに、ＬＣＤコントローラ６６の制御により、カラー液晶パネル６４上に、初期設定の表示部が現れ、初期設定終了後に、方向表示ができるようになる。ここで、病室１ａ、１ｂ、・・・から呼出があると、カラー液晶パネル６４上の呼出・番号・方向表示部６４ａに、呼出種別、病室番号および病室からの呼出方向を示す矢印が表示される。
【００４５】
さらに、チーム呼出設定機能の選択スイッチ７０ｂもＯＮにすると、チーム表示機能と方向表示灯設定機能付きのボード親機または卓上親機となり、チーム放送、チーム番号表示、方向表示が可能になる。
【００４６】
機種選択スイッチ７０ａがＯＦＦ、方向表示灯の選択スイッチ７０ｄをＯＮし、方向数の設定スイッチ７０ｅを設定方向数２から４内で設定すると、親機ＣＰＵ６８によって方向表示灯機能付きのデジタル表示親機と認識される。そして、電源投入直後に、親機ＣＰＵ６８の制御により、画像用メモリ６５から方向表示に関する画像情報が読み出され、さらに、ＬＣＤコントローラ６６の制御により、カラー液晶パネル６４上に、初期設定の表示部が現れ、初期設定終了後に、方向表示ができるようになる。ここで、病室１ａ、１ｂ、・・・から呼出があると、カラー液晶パネル６４上の呼出・番号・方向表示部６４ａに、呼出種別、病室番号および病室からの呼出方向を示す矢印が表示される。
【００４７】
さらに、チーム呼出設定機能の選択スイッチ７０ｂもＯＮすると、チーム表示機能と方向表示灯設定機能付きのデジタル表示親機となり、チーム放送、チーム番号表示、方向表示が可能になる。
【００４８】
【発明の効果】
以上の説明から明らかなように、本発明のナースコール装置によれば、親機番号設定、チーム呼出設定、チーム番号表示、集中、分散の切替、方向表示等の設定をディップスイッチ等で自由に組み合わせることができることから、画面バリエーションを容易に変更することができ、また、画像用メモリを備えていることから、タッチパネルにテンキー表示部やファンクションキー表示部等のスイッチ類を集約化できる。従って、本発明のナースコール装置によれば、部品削減を図ることができ、また、ナースコール装置の機種バリエーションの統一化を図ることができる。
【図面の簡単な説明】
【図１】  本発明によるナースコール装置の一実施例を示すブロック図。
【図２】  従来のナースコール装置のブロック図。
【符号の説明】
１１ａ〜１１ｃ・・・呼出ボタン
３・・・制御機
４・・・交換機
５ａ〜５ｃ・・・携帯端末
６・・・ナースコール親機
６３・・・タッチパネル
６４・・・カラー液晶パネル
６５・・・画像用メモリ
６６・・・ＬＣＤコントローラ
６７・・・タッチパネルコントローラ
７０・・・設定スイッチ群
７０ａ・・・親機の機種選択スイッチ
７０ｂ・・・チーム呼出設定機能の選択スイッチ
７０ｃ・・・集中、分散の選択スイッチ
７０ｄ・・・方向表示灯の選択スイッチ
７０ｅ・・・方向数の設定スイッチ
【図１】
0004410952.tif 000002
【図２】
0004410952.tif 000003